(57)【要約】      （修正有）【課題】簡易な構造で、ペットシートの交換作業性に優れ、薄型でコンパクトなペットトイレを提供する。【解決手段】ベース３とトッププレート５との隙間には、保護部材１１が設けられる。保護部材１１は、ベース３上に配置されるペットシート１３を上方から保護するものである。保護部材１１は、例えばアルミニウムなどの金属製のパンチングメタルを用いることができるが、メッシュや格子部材など、材質や形状を問わず、複数の孔が形成されていればよい。保護部材１１は、開口部９から、ベース３とトッププレート５との間に挿抜することができる。すなわち、ベース３とトッププレート５との隙間の大きさは、保護部材１１の厚みよりも大きく、開口部９の幅は、保護部材１１の幅よりも大きい。【選択図】図４
0003195818.tif 000002
【実用新案登録請求の範囲】
【請求項１】
ペット用のトイレであって、
ペットシートが載置されるためのベースと、
前記ベース上に配置され、前記ペットシートを保護するための、複数の孔を有する保護部材と、
前記保護部材の上方に配置され、前記ベースに取り付けられる枠状のトッププレートと、
を具備し、
前記ベースと前記トッププレートとの間は、少なくとも一方が側方に開口しており、前記保護部材を側方からスライド挿入可能であることを特徴とするペットトイレ。
【請求項２】
前記トッププレートは、前記ベースに対して固定部材によって着脱可能であることを特徴とする請求項１記載のペットトイレ。
【請求項３】
前記ベースの縁部には、樹脂部材が設けられ、
前記樹脂部材は、前記ベースの下面側において、滑り止めとして機能するとともに、前記ベースの上面側において、前記保護部材が前記ベースの上面から離れるように、スペーサとして機能することを特徴とする請求項１または請求項２に記載のペットトイレ。
【考案の詳細な説明】
【技術分野】
【０００１】
本考案は、ペット用のトイレに関するものである。
【背景技術】
【０００２】
従来より、特に屋内で飼育される犬や猫などのペット用のトイレが利用されている。このようなペットトイレには、尿などを吸収するペットシートが用いられる。
【０００３】
通常、ペットシートへのいたずら防止などの目的で、ペットシート上には、格子状や穴の開いた保護部材が配置される。また、保護部材がペット等によって取り外されたりすることがないように、ペットトイレの外周部には、保護部材を固定する枠体が設けられる。
【０００４】
ペットシートを交換するためには、この枠体を取り外して、保護部材を取り出し、さらに、その下方の使用済みペットシートを除去して、新たなペットシートを配置した後、その逆の手順で、保護部材および枠体を取り付ける必要がある。
【０００５】
このようなペットトイレとしては、例えば、不透水性底板を有する本体と、この本体に装着されるカバー枠と、本体の上面に配置した縦横の溝と、この溝内に上方から挿入される線材を有する押え格子とを備え、この押え格子の線材が、本体の底板上に置かれた汚物受けシートを溝内に押込んで固定するものが提案されている（特許文献１）。
【先行技術文献】
【特許文献】
【０００６】
【特許文献１】特開２００６−２８８３２８号公報
【考案の開示】
【考案が解決しようとする課題】
【０００７】
しかし、従来のペットトイレは、ペットシートの交換の度に、枠体を取り外す必要があり、作業が手間であった。また、枠体を容易に着脱可能にするためには、枠体とベース部材と間に、例えばヒンジ構造などの簡易な脱着機構を設ける必要があるため、ペットトイレ全体のサイズが大きくなるとともに、厚みが厚くなる。ペットトイレの厚みが厚くなると、子犬や押し腰の弱った老犬にとって利用しにくいものとなる。
【０００８】
本考案は、このような問題に鑑みてなされたもので、簡易な構造で、ペットシートの交換作業性に優れ、薄型でコンパクトなペットトイレを提供することを目的とする。
【課題を解決するための手段】
【０００９】
前述した目的を達成するため、本考案は、ペット用のトイレであって、ペットシートが載置されるためのベースと、前記ベース上に配置され、前記ペットシートを保護するための、複数の孔を有する保護部材と、前記保護部材の上方に配置され、前記ベースに取り付けられる枠状のトッププレートと、を具備し、前記ベースと前記トッププレートとの間は、少なくとも一方が側方に開口しており、前記保護部材を側方からスライド挿入可能であることを特徴とするペットトイレである。
【００１０】
前記トッププレートは、前記ベースに対して固定部材によって着脱可能であることが望ましい。
【００１１】
前記ベースの縁部には、樹脂部材が設けられ、前記樹脂部材は、前記ベースの下面側において、滑り止めとして機能するとともに、前記ベースの上面側において、前記保護部材が前記ベースの上面から離れるように、スペーサとして機能することが望ましい。
【００１２】
本考案によれば、枠状のトッププレートとベースとの間が、側方に開口しているため、開口部から保護部材を挿抜することが可能である。このため、保護部材を取り出すために、その都度トッププレートを取り外す必要がない。このため、ペットシートの交換作業性が良好である。
【００１３】
また、保護部材は、ペットトイレの上方から取り外すことができない。このため、ペットのいたずらなどによって、保護部材が取り外されるようなことがない。
【００１４】
また、トッププレートの着脱頻度が低いため、ヒンジ等の固定機構や、係止爪などの構造が不要であり、例えば、ねじなどの固定部材でトッププレートとベースとを固定することができる。このため、全体のサイズをコンパクトにすることができるとともに、厚みを薄くすることができる。このため、設置場所の自由度が高く、子犬や老犬も利用しやすいペットトイレとすることができる。
【００１５】
また、固定部材を取り外すことで、トッププレートをベースから取り外すこともできる。このため、複数種類のデザインのトッププレートを、気分に応じて交換することもできる。
【００１６】
また、ベースの対向する縁部に、樹脂部材を設けることで、ベースの下面側において、ペットトイレの滑り止めとして機能させることができる。また、ベースの上面側において、保護部材が樹脂部材の上に乗るため、保護部材とベースの上面とを離すことができる。このため、ペットが、汚れたペットシートを踏むことがなく清潔である。
【考案の効果】
【００１７】
本考案によれば、簡易な構造で、ペットシートの交換作業性に優れ、薄型でコンパクトなペットトイレを提供することができる。
【図面の簡単な説明】
【００１８】
【図１】ペットトイレ１を示す斜視図。
【図２】ペットトイレ１の断面図であり、図１のＡ−Ａ線断面図。
【図３】ペットトイレ１の断面図であり、図１のＢ−Ｂ線断面図。
【図４】保護部材１１を取り外す工程を示す図で、（ａ）は斜視図、（ｂ）は断面図。
【図５】ペットシート１３を取り外す工程を示す図で、（ａ）は斜視図、（ｂ）は断面図。
【考案を実施するための形態】
【００１９】
以下、本考案の実施の形態を詳細に説明する。図１は、本考案の実施の形態にかかるペットトイレ１を示す斜視図であり、図２は、図１のＡ−Ａ線断面図、図３は、図１のＢ−Ｂ線断面図である。ペットトイレ１は、主に、ベース３、トッププレート５、保護部材１１等から構成される。
【００２０】
図２に示すように、ベース３は、例えばアルミニウムなどの金属製の板状の部材であり、対向する一対の縁部が階段状に屈曲する。なお、図示した例では、ベース３の長辺側の辺に屈曲部を形成したが、短辺側に屈曲部を形成してもよい。
【００２１】
ベース３の上方には、トッププレート５が固定される。トッププレート５は、ベース３に対してねじなどの固定部材７によって固定される。トッププレート５は、ベース３の屈曲部の段差の上面に固定される。したがって、ベース３とトッププレート５との間には、ベース３の段差高さに応じた隙間が形成される。
【００２２】
トッププレート５は、枠状の部材である。すなわち、中央部が開口してベース３の外周部を覆うように固定される。なお、トッププレート５の開口寸法は、概ね、使用するペットシート１３のサイズと同様である。トッププレート５は、例えばアクリルなどの樹脂製である。固定部材７を外すことで、トッププレート５をベース３から取り外すことができる。このため、例えば、デザインの異なる他のトッププレート５に交換することができる。
【００２３】
図３に示すように、ベース３とトッププレート５との屈曲部以外の側方には、開口部９が形成される。すなわち、ペットトイレ１の短辺側において、ベース３とトッププレート５との間は塞がれずに、側方に開口する。なお、図示した例では、ペットトイレ１の短辺側の両側方に開口部９が形成されるが、少なくとも一方に開口部９が形成されればよい。この場合、他方の側方には、長辺側と同様に屈曲部を形成してもよい。
【００２４】
ベース３とトッププレート５との隙間には、保護部材１１が設けられる。保護部材１１は、ベース３上に配置されるペットシート１３を上方から保護するものである。保護部材１１は、例えばアルミニウムなどの金属製のパンチングメタルを用いることができるが、メッシュや格子部材など、材質や形状を問わず、複数の孔が形成されていれば、いずれのものであっても用いることができる。保護部材１１によってペットシート１３の上方を覆うことで、ペットがペットシート１３にいたずらすることや、ペットシート１３上を直接歩行することなどを防止することができる。
【００２５】
保護部材１１は、開口部９から、ベース３とトッププレート５との間に挿抜することができる。すなわち、ベース３とトッププレート５との隙間の大きさは、保護部材１１の厚みよりも大きく、開口部９の幅は、保護部材１１の幅よりも大きい。
【００２６】
なお、図２に示すように、保護部材１１の幅（図中Ｄ）は、トッププレート５の開口寸法（図中Ｃ）よりも広い。このようにすることで、保護部材１１がトッププレート５の開口部から取り出されることを防止することができる。
【００２７】
また、保護部材１１で確実にペットシート１３を覆うためには、ベース３の両側の屈曲部間距離（すなわち、保護部材１１を挿入可能な開口部幅）と保護部材１１とのクリアランスよりも、トッププレート５と保護部材１１のラップ代（Ｄ−Ｃ）を大きくすることが望ましい。このようにすることで、保護部材１１がベース３の一方に偏っていても、トッププレート５の開口部に保護部材１１の縁部が露出することがない。
【００２８】
また、同様に、ペットトイレ１の長さ方向に対しても、保護部材１１の長さは、トッププレート５の長さよりも短く、かつ、トッププレート５の開口寸法よりも長くすることが望ましい。
【００２９】
ベース３の縁部には、樹脂部材１５が設けられる。樹脂部材１５は、例えば塩化ビニル製のチューブであり、ベース３の開口部９における縁部をチューブの割り部に挿入することで、樹脂部材１５がベース３に固定される。したがって、ベース３の縁部が、樹脂部材１５で被覆される。なお、図示した例では、ペットトイレ１の短辺側の両側方に樹脂部材１５が設けられる。
【００３０】
このようにすることで、樹脂部材１５でベース３の縁部の下面側を覆うことができる。このため、ペットトイレ１を床面に配置した際、樹脂部材１５が床面と接触する。この際、樹脂部材１５がペットトイレ１の滑り止めとして機能する。例えば金属等のベース３を直接床面に配置する場合と比較して、樹脂部材１５を用いることで、ペットトイレ１が床面で滑りにくくなる。なお、このような効果を得るためには、樹脂部材１５が軟質塩化ビニルやゴムなどの軟質樹脂であることが望ましい。
【００３１】
また、樹脂部材１５は、ベース３の縁部の上面側を覆う。このため、ベース３の縁部が、樹脂部材１５の厚み分だけ厚くなる。保護部材１１は、樹脂部材１５の上に配置される。図示した例では、ベース３の対向する両縁部に配置された樹脂部材１５にまたがるように、保護部材１１が配置される。このため、保護部材１１は、ベース３の底面に対して、やや浮いた状態となる。すなわち、樹脂部材１５は、ベース３の上面において、保護部材１１とベース３との隙間を形成するためのスペーサとして機能する。
【００３２】
このようにすることで、ベース３に配置されたペットシート１３と保護部材１１との間に隙間が形成される。このため、ペットシート１３に即座に吸収されなかった尿などによる、ペットの足濡れを防止することができる。
【００３３】
次に、本考案にかかるペットトイレ１の使用方法について説明する。図４（ａ）は、保護部材１１を取り外す工程を示す斜視図であり、図４（ｂ）は断面図である。前述した様に、保護部材１１のサイズは、トッププレート５の開口寸法よりも大きいため、保護部材１１を上方から取り外すことはできないが、本考案では、保護部材１１をペットトイレ１の側方からスライド挿抜可能である。
【００３４】
保護部材１１を開口部９から抜き取ることで（図中矢印Ｅ）、ペットトイレ１から保護部材１１を取り出すことができる。この際、保護部材１１は、樹脂部材１５上を滑る。このため、保護部材１１はペットシート１３から浮いた状態となるため、ペットシート１３が引きずり出されることがない。このため、保護部材１１の抜き取りがスムーズであり、さらに、保護部材１１の抜き取りに伴うペットシート１３の破れや、ペットシート１３の汚れが保護部材１１に再付着することを防止することができる。
【００３５】
次に、ペットシート１３を交換する。図５（ａ）は、ペットシート１３を取り出す工程を示す斜視図であり、図５（ｂ）は断面図である。ペットシート１３は、ペットトイレ１の上方から取り出すことができる（図中矢印Ｆ）。なお、ペットシート１３を開口部９から取り出してもよい。
【００３６】
使用済みのペットシート１３を取り出し後、逆の手順で、新たなペットシート１３をペットトイレ１の上方からベース３上に配置し、保護部材１１を開口部９から挿入する。以上により、ペットシート１３の交換が終了する。
【００３７】
以上、本実施の形態によれば、トッププレート５を取り外すことなくペットシート１３を交換することができる。このため、作業性が良好である。また、トッププレート５は、ベース３に対して、ねじなどの固定部材で固定されている。このため、ベース３とトッププレート５の固定に必要な厚みが極めて薄い。このように、ヒンジや係合機構などのトッププレート５の着脱機構が不要となることから、コンパクトで薄いペットトイレを得ることができる。
【００３８】
また、トッププレート５は、固定部材７を取り外すことで交換することもできる。このため、ペットトイレ１のデザインを変更することも可能である。
【００３９】
また、ベース３の縁部には、樹脂部材１５が設けられ、樹脂部材１５の一部がベース３の下面側に露出する。このため、樹脂部材１５をペットトイレ１の滑り止めとして機能させることができる。また、樹脂部材１５の一部がベース３の上面側に露出するため、保護部材１１をペットシート１３の設置面から浮かした状態を保持することができる。このため、未吸収の尿などによるペットの足濡れを防止することができる。
【００４０】
なお、本考案では、トッププレート５の固定方法は前述した例には限られない。例えば、トッププレート５の交換を行わなければ、トッププレート５とベース３とを一体で構成してもよく、接着その他の方法で接合してもよい。また、樹脂部材１５は必ずしも必要ではなく、樹脂部材１５を用いなくても、本考案の目的を達することができる。
【００４１】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００４２】
例えば、トッププレート５には、雄犬用の衝立を立てることもできる。この場合には、トッププレート５に固定部材７によって衝立を固定することができる。
【符号の説明】
【００４３】
１………ペットトイレ
３………ベース
５………トッププレート
７………固定部材
９………開口部
１１………保護部材
１３………ペットシート
１５………樹脂部材
【図１】
0003195818.tif 000003
【図２】
0003195818.tif 000004
【図３】
0003195818.tif 000005
【図４】
0003195818.tif 000006
【図５】
0003195818.tif 000007